(57)【要約】      （修正有）【課題】一方向拡張型の２系列マルチレベルマーケティングシステム組織を利用した報酬算出システムにおいて、商品購入実績に見合った報酬を支払う。【解決手段】一方向拡張型の２系列マルチレベルマーケティングシステム組織構築システム上位会員のポジションとその直下左右ポジションの間にポジション３、４を設け、ＯＦＦにしておき、獲得した会員が設定された段位に達すると、ポジション３，４をＯＮにして新たな紹介者系列８、９を分岐させ、紹介者系列８，９に獲得した会員を配置してボーナスを発生させる２系列マルチレベルマーケティング組織を構築し、上位会員の第１紹介者系列５並びに８と第２紹介者系列６並びに９における上位会員及び上位会員より直接紹介された会員の商品購入数を集計し、２つのうち少ない商品購入数を基準に報酬額を算出し、更に商品販売貢献度を評価し、この係数を報酬額に乗じて報酬額とする。【選択図】図５
2007011448.tif 000002
【特許請求の範囲】
【請求項１】
上位会員のポジションの直下左右のポジションより派出する系列のうち一方向系列を上位会員の第１乃至第２紹介者系列とし、他方向系列をそのポジションに直上段位のポジションにある会員の獲得した会員を配置する短系列とし、上記上位会員の第１乃至第２紹介者系列には同段位においてペアーが成立するポジションには紹介者系列の会員の獲得した会員が自動的に配置するようにして第１乃至第２紹介者系列を拡張させるようにして２系列マルチレベルマーケティング組織を構築し、
所定期間経過後、上記のように構築された組織中の上位会員の第１紹介者系列と第２紹介者系列における上位会員及び上位会員より直接紹介された会員の商品購入数を集計し、集計された２つの商品購入数のうち少ない商品購入数を基準として上位会員に対する報酬額を算出することを特徴とする２系列マルチレベルマーケティング組織を利用した会員制商品販売システムにおける報酬算出システム。
【請求項２】
上位会員のポジションの直下左右のポジションより派出する系列のうち一方向系列を上位会員の第１乃至第２紹介者系列とし、他方向系列をそのポジションに直上段位のポジションにある会員の獲得した会員を配置する短系列とし、上記上位会員の第１乃至第２紹介者系列には同段位においてペアーが成立するポジションには紹介者系列の会員の獲得した会員が自動的に配置するようにして第１乃至第２紹介者系列を拡張させ、一定条件に達したとき第１乃至第２紹介者系列の所定のポジションより紹介者系列を分岐させるようにして２系列マルチレベルマーケティング組織を構築し、
所定期間経過後、上記のように構築された組織中の上位会員の第１紹介者系列と第２紹介者系列における上位会員及び上位会員より直接紹介された会員の商品購入数を集計し、集計された２つの商品購入数のうち少ない商品購入数を基準として上位会員に対する報酬額を算出することを特徴とする２系列マルチレベルマーケティング組織を利用した会員制商品販売システムにおける報酬算出システム。
【請求項３】
上位会員の商品販売に対する貢献度を係数化し、この係数を算出された報酬額に乗じて報酬額とする請求項１又は２記載の報酬算出システム。
【請求項４】
一方向系列が左系列である請求項１記載の報酬算出システム。
【発明の詳細な説明】
【技術分野】
【０００１】
本願発明は、２系列マルチレベルマーケティング（以下、ＭＬＭと記す）組織を利用した会員制商品販売システムにおける報酬算出システムに関する。
【背景技術】
【０００２】
従来、商品販売システムとしては、小売販売システム、通信販売システムの他に、商品を購入し、実際に使用してその優れた効能・性能などを体験した消費者に、周囲の知人・友人に紹介販売を依頼するネットワークビジネス或いはコミュニケーションビジネス呼ばれる販売形態、つまりＭＬＭ組織を利用した会員制商品販売システムも多数存在する。
【０００３】
この会員制商品販売システムに利用されるＭＬＭの組織構築方法としては、従来紹介者の直下のポジションに当該紹介者に直接紹介された会員を配置して組織の拡充を図る方法があるが、この方法では紹介者を出せない会員が生じた場合にはそのダウンラインは停止し、組織の拡充を図ることができないという欠点がある。
【０００４】
一方、利益還元型のバイナリ・システムと称する２系列ＭＬＭの組織構築方法は会員のダウンラインに２系列しか紹介者のラインが作れないという制限を設けたシステムであり、仮に第１番目の会員が他に２人の会員を紹介し、更に３人目の紹介者が発生した場合、既に登録されているダウンラインの２人の下に紹介者をつけるというシステムである（特開2002-259784,特開2002-259786,特開2002-259787,特開2002-329052,特開2003-122883）。
【特許文献１】特開2002-259784,特開2002-259786,特開2002-259787,特開2002-329052,特開2003-122883,特開2005-4309
【発明の開示】
【発明が解決しようとする課題】
【０００５】
しかし、このシステムは最初の会員に紹介者が存在しなくても、自動的に上流の方からの紹介者が自己のダウンラインに降りて配置されるというシステムであり、当然組織が大きくなるにつれて組織の下部においては２系列のダウンラインが全方向に倍々式に拡大してしまう欠点がある。
【０００６】
これに対して、上位会員のポジションの直下左右のポジションより派出する系列のうち一方向系列を上位会員の第１乃至第２紹介者系列とし、他方向系列をそのポジションに直上段位のポジションにある会員の獲得した会員を配置する短系列とし、上記上位会員の第１乃至第２紹介者列の同段位においてペアーが成立するポジションには紹介者系列の会員の獲得した会員が自動的に配置されるようにした一方向拡張型の２系列マルチレベルマーケティング組織構造システムが知られている。
【０００７】
このシステムでは組織が拡大すると、第１紹介者系列乃至第２紹介者系列は下段位に拡張されるが、上述のバイナリ・システムのように２系列のダウンラインが全方向に拡張することはないという利点がある。
【０００８】
また、本願発明者はこれら一方向拡張型の２系列マルチレベルマーケティング組織構築システムの改良として上位会員のポジションの直下左右のポジションより派出する系列のうち一方向系列を上位会員の第１乃至第２紹介者系列とし、他方向系列をそのポジションに直上段位のポジションにある会員の獲得した会員を配置する短系列とし、上記上位会員の第１乃至第２紹介者系列の同段位においてペアーが成立するポジションには紹介者系列の会員の獲得した会員が自動的に配置されるようにした一方向拡張型の２系列マルチレベルマーケティング組織構造システムにおいて、上位会員のポジションとその直下左右ポジションの一方又は両方の間に新たにポジションを設け、上記紹介者系列における獲得した会員を配置したポジションが一定段位に達すると、上記ポジションより新たな系列を分岐させ、該系列のうち一方向系列を上位会員の紹介者系列として構築される２系列マルチレベルマーケティング組織構築システムを提案した(特願2005-74199)。
【０００９】
この発明は、これら一方向拡張型の２系列マルチレベルマーケティングシステム組織を利用した会員制商品販売システムにおける報酬算出システムを提案するものである。
【課題を解決するための手段】
【００１０】
具体的は本願第１発明は、上位会員のポジションの直下左右のポジションより派出する系列のうち一方向系列を上位会員の第１乃至第２紹介者系列とし、他方向系列をそのポジションに直上段位のポジションにある会員の獲得した会員を配置する短系列とし、上記上位会員の第１乃至第２紹介者系列には同段位においてペアーが成立するポジションには紹介者系列の会員の獲得した会員が自動的に配置するようにして第１乃至第２紹介者系列を拡張させるようにして２系列マルチレベルマーケティング組織を構築し、所定期間経過後、上記のように構築された組織中の上位会員の第１紹介者系列と第２紹介者系列における上位会員及び上位会員より直接紹介された会員の商品購入数を集計し、集計された２つの商品購入数のうち少ない商品購入数を基準として上位会員に対する報酬額を算出する報酬算出システムを提案するものである。
【００１１】
また、本願第２発明は、上位会員のポジションの直下左右のポジションより派出する系列のうち一方向系列を上位会員の第１乃至第２紹介者系列とし、他方向系列をそのポジションに直上段位のポジションにある会員の獲得した会員を配置する短系列とし、上記上位会員の第１乃至第２紹介者系列には同段位においてペアーが成立するポジションには紹介者系列の会員の獲得した会員が自動的に配置するようにして第１乃至第２紹介者系列を拡張させ、一定条件に達したとき第１乃至第２紹介者系列の所定のポジションより紹介者系列を分岐させるようにして２系列マルチレベルマーケティング組織を構築し、所定期間経過後、上記のように構築された組織中の上位会員の第１紹介者系列と第２紹介者系列における上位会員及び上位会員より直接紹介された会員の商品購入数を集計し、集計された２つの商品購入数のうち少ない商品購入数を基準として上位会員に対する報酬額を算出する報酬算出システムを提案するものである。
【００１２】
即ち、本願第１、第２発明によれば上記上位会員の第１紹介者系列と第２紹介者系列の所定期間における上位会員及び上位会員より紹介された会員の商品購入数を集計し、集計された２つの商品購入数のうち少ない商品購入数を基準として算出された報酬額（ボーナス）が上位会員には支給されるので、上位会員には商品の販売実績に見合った報酬を支払うことができる。
【００１３】
なお、商品購入数を基準として算出された報酬額に上位会員の商品販売に対する貢献度、例えば上位会員の直接紹介者数、自己購入数、直接紹介者の購入数、組織拡張貢献度等を係数化し、これを上記のように算出された報酬額に乗じて報酬額として上位会員に支払うようにすれば、上位会員にはより商品の販売実績に見合った報酬を支払うことができる。
【発明の効果】
【００１４】
即ち、本願発明によれば一方向拡張型の２系列マルチレベルマーケティングシステム組織を利用した会員制商品販売システムにおいて、上位会員には商品の購入実績に見合った報酬を支払うことができる。
【発明を実施するための最良の形態】
【００１５】
上位会員のポジションの直下左右のポジションより派出する系列のうち一方向系列を上位会員の第１乃至第２紹介者系列とし、他方向系列をそのポジションに直上段位のポジションにある会員の獲得した会員を配置する短系列とし、上記上位会員の第１乃至第２紹介者系列の同段位においてペアーが成立するポジションには紹介者系列の会員の獲得した会員が自動的に配置されるようにした２系列マルチレベルマーケティング組織構造システムにおいて、上位会員のポジションとその直下左右ポジションの間に新たにポジションを設け、当該ポジションをＯＦＦにしておき、獲得した会員を配置したポジションがあらかじめ設定された段位に達すると、上記ＯＦＦポジションをＯＮにして新たな紹介者系列を分岐させ、分岐された紹介者系列のポジションに上位会員が獲得した会員を自動的に配置してボーナスを発生させるようにして２系列マルチレベルマーケティング組織を構築し、所定期間経過後、上記のように構築された組織中の上位会員の第１紹介者系列並びにこれより分岐された紹介者系列と第２紹介者系列６並びにこれより分岐された紹介者系列における上位会員及び上位会員より直接紹介された会員の商品購入数を集計し、集計された２つの商品購入数のうち少ない商品購入数を基準として上位会員に対する報酬額を算出し、更に会員の商品販売に対する貢献度を７段階で評価し、この評価に与えられた係数を上述のように算出された報酬額に乗じて報酬額とする報酬算出システム。
【実施例】
【００１６】
実施例１
以下、この発明を図示の実施例に基づいて詳細に説明すると、１はこの発明に係る２系列ＭＬＭ組織構築プログラムを組み込んだメインコンピュータ、２はウェブサーバーであり、紹介者を通じて勧誘された人（以下、Ａとする）ディストリビュータとして登録する場合には、メインコンピュータ１に住所、氏名、登録番号、登録料の支払い状況、ボーナスを振り込むための銀行口座情報などのディストリビュータ情報を入力することにより登録され、Ａの組織拡大活動への対応がシステムとして可能となり、また会員はインターネットから組織図の閲覧が可能である。
【００１７】
上位会員ＡがＭＬＭ組織の一員として登録されると（会員登録開始）、登録される会員に関する情報（個人情報を含む）をコンピュータ１に入力してネットワークシステム内に記録される（会員情報入力）。
【００１８】
（１）一方向拡張型の２系列マルチレベルマーケティングシステム組織の構築
プログラムによる一方向拡張型の２系列マルチレベルマーケティングシステム組織の構築を図２に従って説明すると、上位会員Ａのポジションの直下左ポジションより派出される左系列を上位会員Ａの第１紹介者系列５とし、上位会員Ａのポジションの直下右ポジションより派出される左系列を上位会員Ａの第２紹介者系列６とし、第１紹介者系列５乃至第２紹介者系列６の各ポジションから派出される右系列をそのポジションに直上段位のポジションにある会員の獲得した会員を配置する短系列７，…とする。
【００１９】
そして、上位会員Ａの紹介により最初にＢを、次にＣを獲得すると、ＢをＡのポジションの直下左のポジションに配置し、ＣをＡのポジションの直下右のポジションに配置して第１回目の報酬額（ボーナス）を発生させると共に、Ｂの左系列には上位会員Ａの第１紹介者系列５を、Ｃの左系列には上位会員Ａの第２紹介者系列６を形成し、上述の配置順序に従って第１紹介者系列５に属する例えばＡ又はＢが獲得したＤはＢの直下の左ポジションに配置し、第２紹介者系列６に属する例えばＡ又はＣが獲得したＥはＣの直下の左ポジションに自動的に配置され、第２回目の報酬額（ボーナス）を発生させ、順次上位者が獲得したＧ及びＨ、Ｋ及びＬをそれぞれ第１紹介者系列５及び第２紹介者系列６の同段位の２つのポジションに配置してそれぞれ報酬額（ボーナス）を発生せしめる。
【００２０】
（２）本願発明に係わる上位会員に対する報酬算出システム
(1)このようにして、所定期間組織を構築後、第１紹介者系列５と第２紹介者系列６における上位会員Ａ及び上位会員Ａが直接獲得した会員の商品購入数を集計し、集計された２つの商品購入数のうち少ない商品購入数を基準として上位会員Ａに対する報酬額を算出するものである。
【００２１】
これを図３に基づいて具体的に説明すると、上述の組織を１ヶ月構築時における第１紹介者系列５の商品購入本数（I）と第２紹介者系列６の商品購入本数（II）を集計し、（I）における上位会員Ａ及び上位会員Ａが直接獲得した会員の商品購入本数を500本／月、（II）における商品購入数を550本／月とすると、（I）における商品購入本数を基準として上位会員Ａに対する報酬額を算出する。
【００２２】
そして、報酬額テーブル（III）によれば、商品購入本数25本を１ラウンドとし、４ラウンド毎に2,500円の報酬額が支払われると、上位会員Ａは500本／月で312,500円の報酬額を得ることができる。
【００２３】
(2)更に、直接会員紹介数、自己商品購入数、直接紹介会員の商品購入実績、商品宣伝セミナーの主催・動員、系列中の実績会員数等で会員の商品販売に対する貢献度を７段階で評価し、この評価に与えられた係数を上述のように算出された報酬額に乗じて報酬額とする。
【００２４】
例えば、この実施例では７段階の最上位から3,2.75,2.5,2.25,2,1.5,1の係数が与えられ、これに312,500を乗じた値が報酬額として支給される。
【００２５】
実施例２
（１）一方向拡張型の２系列マルチレベルマーケティングシステム組織の構築の構築
この実施例による組織の構築をプログラム実行のフローチャートを図４、図５に従って説明すると、このプログラムは会員登録作業、プログラム実行作業、、チャック作業に大別される。
【００２６】
会員登録作業はＡがＭＬＭ組織の一員として登録されると（会員登録開始）、登録される会員に関する情報（個人情報を含む）をコンピュータ１に入力してネットワークシステム内に記録し（会員情報入力）、登録されたＡの直下に２つのＯＦＦポジション３乃至４を追加する（図５参照）。
【００２７】
ここで、ＯＦＦポジションとはポジションとしては設定されているが、プログラムを実行する場合、これを素通りして下部のダウンラインに繋がる、即ち休眠状態にあるポジションである。
【００２８】
プログラムは上述のように実行された後、チェック作業ではＡの下部に繋がる会員の有無や進展状況を検索し（紹介者情報検索）、Ａの下部に繋がる会員の段数やポジションの数があらかじめ設定した条件（例えば、５０段）を越えるか否かをチェックする（会員紹介数が条件以上か）。
【００２９】
会員紹介数が条件以上でない場合には、チェック作業を終了してプログラム実行作業を続行する。
【００３０】
会員紹介数が条件以上となった場合には先ずＯＦＦポジション３をＯＮにし、次に設定した条件以上となった場合にはＯＦＦポジション４をＯＮにしてチェック作業をプログラム実行作業を続行する。
【００３１】
ポジション３乃至４をＯＮにすることにより下部への繋がりができ、ポジション３からは分岐した新たな紹介者系列８、ポジション４からは分岐した新たな紹介者系列９が形成される。
【００３２】
そして、第１紹介者系列５のポジションには既にＢ、Ｄ〜Ｇ、Ｋが配置されているので、分岐した紹介者系列８のポジションに上位会員Ａが獲得した会員が自動的に配置され、その結果ペアー配置が成立して報酬額（ボーナス）が発生する。
【００３３】
同様に、第２紹介者系列６のポジションには既にＣ、Ｅ〜Ｈ、Ｌが配置されているので、分岐した紹介者系列９のポジションに上位会員Ａが獲得した会員が自動的に配置され、その結果ペアー配置が成立し、報酬額（ボーナス）が発生する。
【００３４】
なお、この実施例ではＡとＢ、Ｃの間に一つのＯＦＦポジション３，４を設ける例について説明したが、勿論ＡとＢ、Ｃの間に複数段のＯＦＦポジションを設け、それぞれに設定された条件以上になった場合、これらを順次オンするようにしてもよい。
【００３５】
（２）この発明に係わる上位会員に対する報酬算出システム
(1)このようにして、所定期間組織を構築後、第１紹介者系列５並びにこれより分岐した紹介者系列８と第２紹介者系列６並びにこれより分岐した紹介者系列９における上位会員Ａ及び上位会員Ａが直接獲得した会員の商品購入数を集計し、集計された２つの商品購入数のうち少ない商品購入数を基準として上位会員Ａに対する報酬額を算出するが、算出方法は図３に準じて行われる。
【００３６】
(2)更に、実施例１（２）(2)に示した評価項目にＯＦＦポジションをＯＮにした数等を加えて会員の商品販売に対する貢献度を７段階で評価し、この評価に与えられた上記係数を算出された報酬額に乗じた値を報酬額として会員に支給する。
【産業上の利用可能性】
【００３７】
以上要するに、この発明によれば一方向拡張型の２系列マルチレベルマーケティングシステム組織を利用した会員制商品販売システムにおける報酬算出システムにおいて、会員の商品購入実績に見合った報酬を支払うことができるシステムを提供できる。
【図面の簡単な説明】
【００３８】
【図１】本願発明に使用する２系列ＭＬＭ組織構築システム装置の説明図
【図２】本願発明に使用する一方向拡張型の２系列マルチレベルマーケティングシステム組織構築の一例を示す図。
【図３】本願発明に係わる会員に対する報酬算出システムの模式図
【図４】本願に使用する他の一方向拡張型の２系列ＭＬＭ組織構築プログラムのフローチャート
【図５】同上のプログラムによる他の一方向拡張型の２系列ＭＬＭ組織構築の一例を示す図
【符号の説明】
【００３９】
１は２系列ＭＬＭ組織構築プログラムを組み込んだメインコンピュータ
２はウェブサーバー
３乃至４はＯＦＦポジション
５は第１紹介者系列
６は第２紹介者系列
７，…短系列
８乃至９は分岐して形成された新たな紹介者系列
【図１】
2007011448.tif 000003
【図２】
2007011448.tif 000004
【図３】
2007011448.tif 000005
【図４】
2007011448.tif 000006
【図５】
2007011448.tif 000007